(57)【要約】【課題】水銀蒸気を用いる放電ランプであって、熱効率を低下させずにアウターリード付近とヒータとの間での漏電を回避しながら、管端部を加熱することのできる放電ランプを実現する。【解決手段】ヒータ１ｄのヒータ線の一端をアウターリード１ｃに接続するとともに、ヒータ線を、ガラス管からなる放電管１ａの端部側の外管壁に密着するように巻回する。ヒータ線の他端を、蛍光ランプ１の点灯回路を構成するインバータ電源回路５の出力の一端に、電源配線２を介して接続する。これにより、ヒータ１ｄを、ランプ電流の流れる経路に、直列に挿入する。【選択図】図１
2008123723.tif 000002
【特許請求の範囲】
【請求項１】
発光に水銀蒸気を用いる放電ランプであって、
放電管の端部側領域である管端部を加熱するヒータを前記管端部ごとに備えており、
各前記ヒータは、ランプ電流が流れる経路に対して直列に挿入されていることを特徴とする放電ランプ。
【請求項２】
各前記ヒータは、前記放電管の管壁に沿って、放電電極の前記放電管中央部側の端部に対して前記放電管端部側に設けられていることを特徴とする請求項１に記載の放電ランプ。
【請求項３】
前記ヒータは前記放電管の外管壁上に設けられていることを特徴とする請求項１または２に記載の放電ランプ。
【請求項４】
前記ヒータは前記放電管の内管壁上に設けられていることを特徴とする請求項１または２に記載の放電ランプ。
【請求項５】
前記放電管の内部に、前記ヒータがスパッタリングされることを防止する防止壁が設けられていることを特徴とする請求項４に記載の放電ランプ。
【請求項６】
前記ヒータは前記放電管の管壁に密着するように設けられていることを特徴とする請求項１ないし５のいずれか１項に記載の放電ランプ。
【請求項７】
前記ヒータは前記放電管の管壁内部に嵌入されていることを特徴とする請求項１または２に記載の放電ランプ。
【請求項８】
前記ヒータは、前記管端部の内管壁の温度が、発光部における内管壁の温度平坦部の温度よりも、５℃以上低下しないような発熱量となるように、抵抗値が設定されていることを特徴とする請求項１ないし７のいずれか１項に記載の放電ランプ。
【請求項９】
請求項１ないし８のいずれか１項に記載の放電ランプを光源として備え、前記光源を用いて照明光を出力することを特徴とする照明装置。
【請求項１０】
請求項９に記載の照明装置を備え、前記照明装置から出射された照明光を表示に用いることを特徴とする表示装置。
【発明の詳細な説明】
【技術分野】
【０００１】
本発明は、放電ランプにおける水銀溜りの解消に関するものである。
【背景技術】
【０００２】
液晶表示装置のバックライト光源に、冷陰極管がよく使用される。図７に示すように、冷陰極管１０１は、放電管１０１ａの端部側領域である両管端部をゴムキャップなどからなる保持具１０３で保持されることにより、液晶表示装置の外箱１１１内に固定されるようになっている（図では便宜上、一方の管端部のみを示す）。放電管１０１ａ内部の電極１０１ｂから外部に引き出されたアウターリード１０１ｃは、電源配線１０２と半田により接続される。
【０００３】
冷陰極管は、内部に封入された水銀の蒸気を用いて励起・発光を行うため、放電管に温度の低い部分があると、その箇所に水銀が凝集して溜まり、水銀蒸気の圧力が低下する。これによりランプが始動しにくくなるとともに、ランプ動作時の発光輝度が低下する。最も大きく発熱する部分は、図７では電極１０１ｂより僅かに放電管１ａ中央部側に寄った箇所１０５であるが、従来、冷陰極管は、単品で用いる場合に、放電管の中央部の温度低下が問題となっていた。
【０００４】
特許文献１には、透過型表示パネルに用いられる蛍光管において、低温時に水銀が電極へ付着する量が多くなることによる発光の不具合に対処するために、蛍光管を点灯するためのインバータ用直流電源を、蛍光管が所定温度未満のときにオフとし、蛍光管が所定温度以上のときにオンとすることが開示されている。ここで、蛍光管が所定温度に達しているか否かについては、温度検出素子で蛍光管表面の温度を測ることにより判定するようになっている。また、蛍光管の表面にはヒータが装着されており、蛍光管が所定の温度未満であれば、当該ヒータにより蛍光管を所定の温度以上となるまで加熱するようになっている。
【０００５】
また、特許文献２には、表示装置のバックライトとして用いられる低圧水銀蒸気放電ランプの放電管に、温度センサとメッシュヒータとを取り付け、低温時における放電管の発光輝度の低下を防止することが開示されている。放電管の点灯時には、温度センサによってメッシュヒータの温度を検出し、メッシュヒータの温度が所定値以上に上昇したときに温度センサが断線するようになっており、この断線を検知することにより、メッシュヒータへの通電を遮断するようにしている。
【特許文献１】特開平７−４３６８０号公報（１９９５年２月１４日公開）
【特許文献２】特開平１０−１８８９０３号公報（１９９８年７月２１日公開）
【非特許文献１】サンケン電気、”冷陰極蛍光管(Cold Cathode Fluorescent Lamps)p11-12,4-2管壁温度勾配による水銀の片寄りによる不具合モード2)管端部が最冷部の場合(図5)”、”online”[2006年10月12日検索]、インターネット(ＵＲＬ：http://www.sanken-ele.co.jp/prod/semicon/pdf/2005ccfl_07j.pdf)
【発明の開示】
【発明が解決しようとする課題】
【０００６】
図７に示したように、バックライト光源に使用される冷陰極管１０１は、管端部が保持具１０３により保持されているため、冷陰極管１０１の動作時には、冷陰極管１０１から保持具１０３を介して液晶表示装置の外箱１１１等への放熱が起こる。また、冷陰極管１０１に通電するための配線を通しても放熱が起こる。この場合に、液晶表示装置の外箱１１１からの放熱量が多いと、放電管１０１ａの中央部よりも管端部のほうが低温になりやすい。従って、水銀は管端部に溜まることとなる。液晶表示装置の温度はある程度低く保持すべきであるが、外箱１１１からの放熱量を抑制することより管端部の温度低下を防ごうとすると液晶表示装置の温度上昇につながるので、好ましくない。
【０００７】
そこで、特許文献１や２に用いたヒータを管端部に設けて管端部を加熱する構成とすることが考えられる。
【０００８】
例えば、図８に示すように、放電管１０１ａの管端部を装着する保持具１０３の内側にヒータ１０７を設ける。しかし、放電管１０１ａの管端部をヒータ１０７で加熱しようとすると、アウターリード１０１ｃ付近は数百Ｖや千Ｖといった高電圧であるのに対して、ヒータ１０７の回路電圧は５Ｖ程度であるので、両者の電位差により、アウターリード１０１ｃ付近とヒータ７との間で火花放電が起こって漏電しやすいという問題が生じる。従って、このような場合には、図８に示すように放電管１０１ａとヒータ１０７との間に絶縁物１０６を介在させる必要が生じ、その分、ヒータ１０７から放電管１０１ａへの熱伝導が悪化する。
【０００９】
このように、従来は、管端部をヒータで加熱するのに、熱効率を低下させずにアウターリード付近とヒータとの間での漏電を回避することができないという問題を有していた。
【００１０】
本発明は、上記の問題点に鑑みてなされたものであり、その目的は、水銀蒸気を用いる放電ランプであって、熱効率を低下させずにアウターリード付近とヒータとの間での漏電を回避しながら、管端部を加熱することのできる放電ランプ、およびそれを用いた照明装置ならびに表示装置を実現することにある。
【課題を解決するための手段】
【００１１】
本発明の放電ランプは、上記課題を解決するために、発光に水銀蒸気を用いる放電ランプであって、放電管の端部側領域である管端部を加熱するヒータを前記管端部ごとに備えており、各前記ヒータは、ランプ電流が流れる経路に対して直列に挿入されていることを特徴としている。
【００１２】
上記の発明によれば、ヒータがランプ電流が流れる経路に対して直列に挿入されているので、放電ランプのアウターリードに高電圧が印加されているときでも、ヒータとアウターリード付近との間の電位差は小さく、ヒータとアウターリード付近との間で漏電が起こることを回避することができる。また、上記のように漏電が起こりにくいので、ヒータと放電管との間に絶縁物を介在させる必要がなく、それだけヒータで発生した熱が放電管に伝わりやすくなる。このようにして、ヒータによって管端部を加熱することにより、管端部に水銀が溜まることを防止することができる。
【００１３】
以上により、熱効率を低下させずにアウターリード付近とヒータとの間での漏電を回避しながら、管端部を加熱することのできる放電ランプを実現することができるという効果を奏する。
【００１４】
本発明の放電ランプは、上記課題を解決するために、各前記ヒータは、前記放電管の管壁に沿って、放電電極の前記放電管中央部側の端部に対して前記放電管端部側に設けられていることを特徴としている。
【００１５】
上記の発明によれば、ヒータが放電管の管壁に沿って、放電電極の放電管中央部側の端部に対して放電管端部側に設けられているので、温度が低くなりやすい管端部の領域のみを正確に加熱することができるという効果を奏する。
【００１６】
本発明の放電ランプは、上記課題を解決するために、前記ヒータは前記放電管の外管壁上に設けられていることを特徴としている。
【００１７】
上記の発明によれば、ヒータが放電管の外管壁上に設けられているので、ヒータの設置や交換が容易であるという効果を奏する。
【００１８】
本発明の放電ランプは、上記課題を解決するために、前記ヒータは前記放電管の内管壁上に設けられていることを特徴としている。
【００１９】
上記の発明によれば、ヒータが放電管の内管壁上に設けられているので、ヒータで目的の位置を直接加熱することができ、熱効率に優れるという効果を奏する。
【００２０】
本発明の放電ランプは、上記課題を解決するために、前記放電管の内部に、前記ヒータがスパッタリングされることを防止する防止壁が設けられていることを特徴としている。
【００２１】
上記の発明によれば、防止壁によってヒータがスパッタリングされることを防止することができるので、ヒータの寿命が長くなるという効果を奏する。
【００２２】
本発明の放電ランプは、上記課題を解決するために、前記ヒータは前記放電管の管壁に密着するように設けられていることを特徴としている。
【００２３】
上記の発明によれば、ヒータが放電管の管壁に密着するように設けられているので、ヒータの熱効率がよいという効果を奏する。
【００２４】
本発明の放電ランプは、上記課題を解決するために、前記ヒータは前記放電管の管壁内部に嵌入されていることを特徴としている。
【００２５】
上記の発明によれば、ヒータが放電管の管壁内部に嵌入されているので、目的の箇所を加熱しやすいという効果を奏する。また、ヒータの設置空間を放電管の管壁内外に設ける必要がないので、放電ランプの小型化および構成の簡素化が図れるという効果を奏する。
【００２６】
本発明の放電ランプは、上記課題を解決するために、前記ヒータは、前記管端部の内管壁の温度が、発光部における内管壁の温度平坦部の温度よりも、５℃以上低下しないような発熱量となるように、抵抗値が設定されていることを特徴としている。
【００２７】
上記の発明によれば、管端部の内管壁の温度が、発光部における内管壁の温度平坦部の温度よりも５℃以上低下しないので、管端部に水銀が溜まることを確実に回避することができるという効果を奏する。
【００２８】
本発明の照明装置は、上記課題を解決するために、前記放電ランプを光源として備え、前記光源を用いて照明光を出力することを特徴としている。
【００２９】
上記の発明によれば、管端部に水銀が溜まらない放電ランプを使用するので、発光輝度が安定した、寿命の長い照明装置を実現することができるという効果を奏する。
【００３０】
本発明の表示装置は、上記課題を解決するために、前記照明装置を備え、前記照明装置から出射された照明光を表示に用いることを特徴としている。
【００３１】
上記の発明によれば、発光輝度が安定した、寿命の長い照明装置を用いるので、表示品位および信頼性の高い表示を行う表示装置を実現することができるという効果を奏する。
【発明の効果】
【００３２】
本発明の放電ランプは、以上のように、発光に水銀蒸気を用いる放電ランプであって、放電管の端部側領域である管端部を加熱するヒータを前記管端部ごとに備えており、各前記ヒータは、ランプ電流が流れる経路に対して直列に挿入されている。
【００３３】
以上により、熱効率を低下させずにアウターリード付近とヒータとの間での漏電を回避しながら、管端部を加熱することのできる放電ランプを実現することができるという効果を奏する。
【発明を実施するための最良の形態】
【００３４】
本発明の一実施形態について図１ないし図６に基づいて説明すると以下の通りである。
【００３５】
図１に、本実施形態に係る放電ランプである蛍光ランプ１の構成を示す。蛍光ランプ１は冷陰極管ランプであり、図１には一方の端部付近の構成を示してあるが、他方の端部付近の構成も同じである。蛍光ランプ１は、放電管１ａ、電極１ｂ・１ｂ（両端分）、アウターリード１ｃ・１ｃ（両端分）、および、ヒータ１ｄ・１ｄ（両端分）を備えている。
【００３６】
放電管１ａ、電極（放電電極）１ｂ・１ｂ、および、アウターリード１ｃ・１ｃは従来のものと同等である。
【００３７】
ヒータ１ｄ・１ｄは、ニクロム線ヒータ、鉄クロム線ヒータ、その他市販のヒータなどで構成可能である。ヒータ１ｄのヒータ線の一端はアウターリード１ｃに接続されるとともに、ヒータ１ｄの熱効率をよくするために、ガラス管からなる放電管１ａの端部側の外管壁に密着するように巻回されている。ヒータ線の他端は、蛍光ランプ１の点灯回路を構成するインバータ電源回路５の出力の一端に、電源配線２を介して接続されている。ヒータ線と電源配線２とは電極１ｂの放電管１ａ中央部側端部付近の放電管１ａの外側で接続されている。このような構成であるので、図２に示すように、ヒータ１ｄ・１ｄは、インバータ電源回路５と蛍光ランプ１の通電回路との間に、すなわちランプ電流の流れる経路に、直列に挿入された状態にある。
【００３８】
これにより、ヒータ１ｄにはランプ電流に等しい電流が流れ、発生した熱により放電管１ａの端部側領域である管端部を加熱することができる。当該領域の管壁を加熱することにより、管端部に水銀が溜まることを防止することができる。
【００３９】
また、ヒータ１ｄは放電管１ａの管壁に沿って設けられている。ヒータ１ｄのヒータ線は放電管１ａの外管壁に露出接触しており、ヒータ線の巻回範囲は、図３に示すように、電極１ｂの放電管１ａ中央部側端部より距離ｈだけ放電管１ａ端部側に寄った位置から放電管１ａ端部側の領域とされる。ヒータ線は放電管１ａの外管壁側から管の厚み方向に向って嵌入されることにより埋め込み配置される構成でもよい。
【００４０】
また、ヒータ線の、放電管１ａと接触しない部分を、例えばＵＬ難燃規格に適合する絶縁物で被覆するようにしてもよい。ヒータ線の巻線間がこのような絶縁物で絶縁されれば、ヒータ線が部分的に短絡してヒータ線の抵抗が変化することを防止することができ、ヒータ１ｄの発熱量を適切に維持することができる。特に、このような絶縁物を、酸化アルミニウムのような熱伝導のよい材料で構成すれば、ヒータ１ｄで発生した熱がヒータ１ｄの全体で平均化されるので、均一な加熱を行うことができる。
【００４１】
上記蛍光ランプ１を液晶表示装置のバックライトなどの照明装置に用いるときには、管両端部を、図１に示すように、例えば従来と同様の材質の保持具３で保持する。このとき、保持具３は内部にヒータ１ｄを全て包含すると、均一な加熱を行うことができる。またこのとき、電源配線２は保持具３を貫通するように設けられる。
【００４２】
蛍光ランプ１はインバータ電源回路５によって交流駆動されるために、蛍光ランプ１の両端部のそれぞれあるいは一方に周期的に高電圧が印加されるが、ヒータ１ｄ・１ｄはそれぞれに近いアウターリード１ｃと直列に接続されていることから、ヒータ１ｄと、それに近いアウターリード１ｃとの間に発生する電位差は小さい。従って、ヒータ１ｄと放電管１ａとの間に介在絶縁物がなくても、火花放電、従って漏電を起こさせることなくヒータ１ｄを放電管１ａに密着させることができるので熱効率がよい。
【００４３】
また、逆に、蛍光ランプ１では、上記のように火花放電の虞がないため、ヒータ線と放電管１ａとの間に熱伝導のよい薄い絶縁物を介在させることにより、放電管１ａをより均一に加熱することができるようになる。
【００４４】
また、ヒータ１ｄの外側については、シリコンゴムやプラスチックなどの熱伝導の悪い絶縁物を配置するようにすれば、ヒータ１ｄから外側への漏電を防止することができるとともに、ヒータ１ｄで発生した熱を放電管１ａのほうへ集中的に伝達させることができ、熱効率がいっそう向上する。
【００４５】
次に、図４に、放電ランプとしての別の実施形態である蛍光ランプ１１の構成を示す。蛍光ランプ１１は冷陰極管ランプであり、図４には一方の端部付近の構成を示してあるが、他方の端部付近の構成も同じである。
【００４６】
この蛍光ランプ１１は、放電管１１ａ、電極（放電電極）１１ｂ・１１ｂ（両端分）、アウターリード１１ｃ・１１ｃ（両端分）、ヒータ１１ｄ・１１ｄ（両端分）、および、スパッタ防止壁１１ｅ・１１ｅ（両端分）を備えている。
【００４７】
蛍光ランプ１１は、電極１１ｂとアウターリード１１ｃとの間に、放電管１１ａの内管壁に接触するヒータ１１ｄが直列に接続されているところが従来と異なっている。ヒータ１１ｄは放電管１１ａの管壁に沿って設けられている。ここではヒータ１１ｄは面状ヒータであって、電極１１ｂよりも放電管１１ａの端部側に、ヒータ１１ｄの熱効率をよくするために、放電管１１ａの内管壁を密着して覆うように設けられている。ヒータ１１ｄは放電管１１ａの内管壁から管の厚み方向に向って嵌入されることにより埋め込み配置される構成でもよい。ヒータ１１と電極１１ｂとは、互いの接続配線以外によっては互いに接触しないように配置されている。
【００４８】
スパッタ防止壁１１ｅは、ヒータ１１ｄよりも放電管１１ａ中央部側で、電極１１ｂの設けられている領域に、電極１１ｂの外側を周回するように放電管１１ａの内管壁上に立設された状態に設けられている。スパッタ防止壁１１ｅとヒータ１１とは互いに絶縁されている。スパッタ防止壁１１ｅが設けられていることにより、蛍光ランプ１１の通電中にヒータ１１ｄがスパッタリングされるのを防止することができ、ヒータ１１の寿命が長くなる。スパッタ防止壁１１ｅの材料としては、スパッタリングに強い合金が好ましく、例えば電極１１ｂと同様に、ニッケル、モリブデン、ニオブなどを用いた合金が適用可能である。
【００４９】
以上のように、本実施形態の蛍光ランプ１・１１によれば、熱効率を低下させずにアウターリード付近とヒータとの間での漏電を回避しながら、管端部を加熱することのできる放電ランプを実現することができる。
【００５０】
また、蛍光ランプ１・１１では、ヒータが放電管の管壁に沿って、放電電極の放電管中央部側の端部に対して放電管端部側に設けられているので、温度が低くなりやすい管端部の領域のみを正確に加熱することができる。
【００５１】
また、蛍光ランプ１では、ヒータが放電管の外管壁上に設けられているので、ヒータの設置や交換が容易であり、蛍光ランプ１１では、ヒータが放電管の内管壁上に設けられているので、ヒータで目的の位置を直接加熱することができ、熱効率に優れる。
【００５２】
また、ヒータが放電管の管壁内部に嵌入される場合には、目的の箇所を加熱しやすくなる。また、ヒータの設置空間を放電管の管壁内外に設ける必要がないので、放電ランプの小型化および構成の簡素化が図れる。
【００５３】
次に、前記ヒータ１ｄや１１ｄの発熱量をどの程度に設定するのかということについて説明する。図５は非特許文献１に掲載されているものであるが、この図５に示すように、冷陰極管の電極よりも放電管中央部側である発光部に、管壁温度の平坦部が存在する。当該文献には、管端部の温度が平坦部の管壁温度よりも低くなると、水銀が管端部に集まって中央部の水銀蒸気が枯渇してゆき、管中央部が暗部となることが記載されている。そして、図５には、管端部の温度が平坦部よりも５℃低い状態で水銀が管端部に集まることが示されている。また、図５において、冷陰極管はゴムホルダーに支持され、冷陰極管に隣接してリフレクターが設けられている。
【００５４】
従って、本実施形態においては、ヒータ１ｄや１１ｄの発熱量を、管端部の内管壁の温度が平坦部より５℃以上低下しないように設定する。本実施形態では、ヒータ線の抵抗値を、目的のランプ電流、例えば５ｍＡ程度、に合わせて設定することにより、発熱量を事前に設定しておき、蛍光ランプ１や１１への通電中に温度センサを用いた発熱量の調整は行わない。ヒータ１ｄや１１ｄによる加熱効果および発熱量の、事前の確認は、放電管１ａの内管壁温度ではなくて外管壁温度を測定する簡便な方法によって検出した温度を基に、内管壁温度を推定して、水銀の付着有無試験（通電試験）を行うことで実施すればよい。上記の構成により、管端部の内管壁の温度が、発光部における内管壁の温度平坦部の温度よりも５℃以上低下しないので、管端部に水銀が溜まることを確実に回避することができる。
【００５５】
次に、前記蛍光ランプ１や１１を用いた照明装置および表示装置について説明する。
【００５６】
図６に、本実施形態に係る表示装置である液晶表示装置３０の構成を示す。
【００５７】
液晶表示装置３０は透過型の液晶表示装置であり、照明装置としてのバックライトユニット２０と液晶パネル３０とを備えている。バックライトユニット２０は、前記蛍光ランプ１あるいは１１を光源として有する蛍光ランプユニット１５と、導光板２１と、反射板２２と、プリズムシート２３とを備えている。図６は蛍光ランプ１あるいは１１の管軸方向に垂直に切断した場合の断面図である。
【００５８】
蛍光ランプユニット１５は、蛍光ランプ１あるいは１１の他に、図１で示したような、放電管１ａあるいは１１ａの両端を保持する保持具３（図５には図示せず）と、蛍光ランプ１あるいは１１の周囲に設けられた反射部材１５ａとを備えている。反射部材１５ａは、蛍光ランプ１あるいは１１から出射された光を導光板２１側に導くよう反射する。この出射光は、導光板２１に側面から入射し、導光板２１内を反射を繰り返して進行し、プリズムシート２３側に出射される。導光板２１のプリズムシート２３側と反対側に漏れる光は反射板２２によってプリズムシート２３側に反射される。プリズムシート２３に入射した光はプリズムシート２３内で反射および屈折をして進行方向を液晶パネル２４側に向けられる。こうしてプリズムシート２３から出射された光は照明光として、液晶パネル２４に入射する。
【００５９】
バックライトユニット２０は、管端部に水銀が溜まらない放電ランプを使用するので、発光輝度が安定した、寿命の長い照明装置を実現することができる。また、液晶表示装置３０は、発光輝度が安定した、寿命の長い照明装置を用いるので、表示品位および信頼性の高い表示を行う表示装置を実現することができる。
【００６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６１】
本発明は、バックライトを備える液晶表示装置に好適に使用することができる。
【図面の簡単な説明】
【００６２】
【図１】本発明の実施形態を示すものであり、蛍光ランプの要部構成を示す正面図である。
【図２】図１の蛍光ランプが電源に接続された状態を示す回路図である。
【図３】図１の蛍光ランプにおけるヒータの設置位置を説明するための蛍光ランプの正面図である。
【図４】本発明の他の実施形態を示すものであり、蛍光ランプの要部構成を示す正面図である。
【図５】蛍光ランプにおける温度分布を説明するための図である。
【図６】本発明の実施形態を示すものであり、液晶表示装置の構成を示す断面図である。
【図７】従来技術を示すものであり、蛍光ランプが保持具に保持されている状態を示す斜視図である。
【図８】蛍光ランプの放電管を加熱する一方法を示す、蛍光ランプの正面図である。
【符号の説明】
【００６３】
１、１１          蛍光ランプ（放電ランプ）
１ａ              放電管
１ｂ、１１ｂ      電極（放電電極）
１ｄ、１１ｄ      ヒータ
１１ｅ            スパッタ防止壁（防止壁）
２０              バックライトユニット（照明装置）
３０              液晶表示装置（表示装置）
【図１】
2008123723.tif 000003
【図２】
2008123723.tif 000004
【図３】
2008123723.tif 000005
【図４】
2008123723.tif 000006
【図５】
2008123723.tif 000007
【図６】
2008123723.tif 000008
【図７】
2008123723.tif 000009
【図８】
2008123723.tif 000010